(57)【要約】  システムが、中心軸の周りに配置された第１の壁と、第１の壁の周りに配置された第２の壁と、第１の壁と第２の壁との間に配置された複数のローブと、を備えた燃料ノズルを含み、複数のローブは、複数の流路を画定するように中心軸の周りに間隔を置いて配置され、複数の流路は、複数の流れを火炎領域に出力するように構成される。【選択図】図４
2018525594.tif 000002
【特許請求の範囲】
【請求項１】
中心軸の周りに配置された第１の壁と、
前記第１の壁の周りに配置された第２の壁と、
前記第１の壁と前記第２の壁との間に配置された複数のローブであって、前記複数のローブは、複数の流路を画定するように前記中心軸の周りに間隔を置いて配置され、前記複数の流路は、複数の流れを火炎領域に出力するように構成される、複数のローブと
を備えた燃料ノズルを含む、システム。
【請求項２】
前記複数のローブが、前記燃料ノズルの下流端部まで延在する、請求項１に記載のシステム。
【請求項３】
前記複数のローブが、前記第２の壁から前記第１の壁に向かって延在するか、前記複数のローブが、前記第１の壁から前記第２の壁に向かって延在するか、またはそれらの組み合わせである、請求項１に記載のシステム。
【請求項４】
前記複数のローブの各ローブが、前記それぞれのローブの先端に隣接する径方向ギャップを有する、請求項１に記載のシステム。
【請求項５】
前記複数のローブのうちの少なくとも１つのローブが、前記少なくとも１つのローブの軸方向ローブ寸法に沿って一定の径方向ローブ寸法を有するか、または前記複数の流路のうちの少なくとも１つの通路が、前記少なくとも１つの通路の軸方向通路寸法に沿って一定の径方向通路寸法を有するか、またはそれらの組み合わせである、請求項１に記載のシステム。
【請求項６】
前記複数のローブのうちの少なくとも１つのローブが、前記少なくとも１つのローブの軸方向ローブ寸法に沿って可変の径方向ローブ寸法を有するか、または前記複数の流路のうちの少なくとも１つの通路が、前記少なくとも１つの通路の軸方向通路寸法に沿って可変の径方向通路寸法を有するか、またはそれらの組み合わせである、請求項１に記載のシステム。
【請求項７】
前記可変の径方向ローブ寸法が、下流方向に徐々に増加もしくは減少するか、または前記可変の径方向通路寸法が、前記下流方向に徐々に増加もしくは減少するか、またはそれらの組み合わせである、請求項６に記載のシステム。
【請求項８】
前記複数のローブのうちの少なくとも１つのローブのローブ寸法が、前記燃料ノズルの前記中心軸に沿った下流側軸方向において前記複数の流路のうちの少なくとも１つの通路の通路寸法とは逆に変化する、請求項１に記載のシステム。
【請求項９】
前記ローブ寸法が、径方向ローブ寸法、ローブ幅、またはローブ断面積を含み、前記通路寸法が、径方向通路寸法、通路幅、または通路断面積を含む、請求項８に記載のシステム。
【請求項１０】
前記通路寸法が前記下流側軸方向に減少する一方で、前記ローブ寸法が増加する、請求項８に記載のシステム。
【請求項１１】
前記通路寸法が前記下流側軸方向に増加する一方で、前記ローブ寸法が減少する、請求項８に記載のシステム。
【請求項１２】
前記複数のローブのうちの少なくとも１つのローブを通って延在する少なくとも１つのローブ通路を含む、請求項１に記載のシステム。
【請求項１３】
前記少なくとも１つのローブ通路が、前記複数のローブのうちの少なくとも１つのローブの下流端部の凹部まで延在する、請求項１２に記載のシステム。
【請求項１４】
前記少なくとも１つの通路が、前記燃料ノズルの外周から前記複数のローブの前記少なくとも１つのローブの下流端部まで延在する第１の通路を含む、請求項１２に記載のシステム。
【請求項１５】
前記少なくとも１つの通路が、前記第１の通路と交差する第２の通路を含み、前記第１の通路は酸化剤を流すように構成され、前記第２の通路は燃料を流すように構成される、請求項１４に記載のシステム。
【請求項１６】
前記燃料ノズルを有するガスタービン燃焼器、またはガスタービンエンジン、またはそれらの組み合わせを含む、請求項１に記載のシステム。
【請求項１７】
中心軸の周りに配置された第１の壁と、
前記第１の壁の周りに配置された第２の壁と、
前記第１の壁と前記第２の壁との間に配置された複数のローブであって、前記複数のローブは、複数の流路を画定するように前記中心軸の周りに間隔を置いて配置され、前記複数のローブは、燃料ノズルの下流端部まで延在する、複数のローブと
を備えた燃料ノズルを含む、システム。
【請求項１８】
前記複数のローブのうちの少なくとも１つのローブが、前記少なくとも１つのローブの軸方向ローブ寸法に沿って可変の径方向ローブ寸法を有するか、または前記複数の流路のうちの少なくとも１つの通路が、前記少なくとも１つの通路の軸方向通路寸法に沿って可変の径方向通路寸法を有するか、またはそれらの組み合わせである、請求項１７に記載のシステム。
【請求項１９】
複数のローブであって、前記複数のローブは、複数の流路を画定するように前記中心軸の周りに間隔を置いて配置され、前記複数のローブは、燃料ノズルの下流端部まで延在する、複数のローブ
を備えた燃料ノズルを含む、システム。
【請求項２０】
前記燃料ノズルが、前記複数のローブのうちの少なくとも１つを通って延在するローブ通路と、前記燃料ノズルの外周から前記複数のローブのうちの前記少なくとも１つの下流端部まで延在する第１の通路と、前記第１の通路と交差する第２の通路と、を含み、前記第１の通路は酸化剤を流すように構成され、前記第２の通路は燃料を流すように構成される、請求項１９に記載のシステム。
【発明の詳細な説明】
【技術分野】
【０００１】
本明細書に開示される主題は、ガスタービンエンジンに関し、より具体的には、ガスタービンエンジンの燃料ノズルアセンブリに関する。
【背景技術】
【０００２】
ガスタービンエンジンは、燃料と空気との混合物を燃焼させて高温の燃焼ガスを生成し、この燃焼ガスは１つまたは複数のタービン段を駆動する。特に、高温の燃焼ガスはタービンブレードを強制的に回転させ、それによってシャフトを駆動して１つまたは複数の負荷、例えば発電機を回転させる。ガスタービンエンジンは、燃料および空気を燃焼器に噴射するための１つまたは複数の燃料ノズルアセンブリを含む。燃料ノズルアセンブリの設計および構成は、燃料ノズルアセンブリの構成要素の寿命だけでなく、排気物質（例えば、窒素酸化物、一酸化炭素など）に著しく影響を与える可能性がある。さらに、燃料ノズルアセンブリの設計および構成は、設置、取り外し、メンテナンスおよび一般的なサービスの時間、コスト、および複雑さに著しく影響を及ぼす可能性がある。したがって、燃料ノズルアセンブリの設計および構成を改善することが望ましい。
【先行技術文献】
【特許文献】
【０００３】
【特許文献１】欧州特許出願公開第２６２９０１１号明細書
【発明の概要】
【０００４】
最初に請求する本発明の範囲に相応する特定の実施形態を、以下に要約する。これらの実施形態は特許請求される発明の範囲を限定しようとするものではなく、むしろ、これらの実施形態は本発明の可能性がある形態の概要を提供しようとするものにすぎない。実際、本発明は、以下に記載する実施形態に類似してもよく、あるいは異なってもよい様々な形態を含むことができる。
【０００５】
第１の実施形態では、システムは、中心軸の周りに配置された第１の壁と、第１の壁の周りに配置された第２の壁と、第１の壁と第２の壁との間に配置された複数のローブと、を備えた燃料ノズルを含み、複数のローブは、複数の流路を画定するように中心軸の周りに間隔を置いて配置され、複数の流路は、複数の流れを火炎領域に出力するように構成される。
【０００６】
第２の実施形態では、システムは、中心軸の周りに配置された第１の壁と、第１壁の周りに配置された第２の壁と、第１の壁と第２壁との間に配置された複数のローブとを備えた燃料ノズルを含む。複数のローブは、複数の流路を画定するように中心軸の周りに間隔を置いて配置され、複数のローブは、燃料ノズルの下流端部まで延在する。
【０００７】
第３の実施形態では、システムは、複数のローブを備えた燃料ノズルを含む。複数のローブは、複数の流路を画定するように中心軸の周りに間隔を置いて配置され、複数のローブは、燃料ノズルの下流端部まで延在する。
【０００８】
本発明のこれらおよび他の特徴、態様、および利点は、添付の図面を参照して以下の詳細な説明を読めば、よりよく理解されよう。図面を通じて、同様の符号は、同様の部分を表す。
【図面の簡単な説明】
【０００９】
【図１】ローブ付きシュラウドを含む燃料ノズルアセンブリを有するタービンシステムの一実施形態のブロック図である。
【図２】図１のタービンシステムの燃焼器の一実施形態の断面図であり、燃焼器は、ローブ付きシュラウドを有する複数の燃料ノズルアセンブリを含む。
【図３】図１の燃料ノズルアセンブリおよびローブ付きシュラウドの一実施形態の断面図であり、燃料ノズルアセンブリおよびローブ付きシュラウドは、複数の燃料噴射ポートおよび複数の燃料と空気の混合領域を含む。
【図４】図３の燃料ノズルアセンブリの下流端部の一実施形態の斜視図であり、燃料ノズルアセンブリの下流端部は、複数のローブおよび噴射ポートを有するローブ付きシュラウドを含む。
【図５】図３の燃料ノズルアセンブリの下流端部の一実施形態の上面図であり、下流端部は、燃料ノズルアセンブリの軸方向軸周りに周方向に間隔を置いて配置された複数のローブを有し、燃料ノズルアセンブリの中心パイロットに向かって径方向に延在するローブ付きシュラウドを含む。
【図６】図３および図５の燃料ノズルアセンブリの下流端部の一実施形態の部分上面図である。
【図７】燃料ノズルアセンブリの下流端部に向かって直径が減少するローブ通路を含む、ローブ付きシュラウドの一実施形態の断面図である。
【図８】燃料ノズルアセンブリの下流端部の上流の複数のローブの径方向の長さを示す、図７のローブ付きシュラウドの実施形態の線８−８に沿った部分断面の上面図である。
【図９】複数のローブの下流方向の径方向の長さの増加を示す、図７のローブ付きシュラウドの実施形態の線９−９に沿った部分断面の上面図である。
【図１０】複数のローブの下流方向の径方向の長さの増加を示す、図７のローブ付きシュラウドの実施形態の線１０−１０に沿った部分断面の上面図である。
【図１１】ローブ付きシュラウドの一実施形態の部分上面図であり、ローブ付きシュラウドは、円形形状を有するローブパイロット開口部を含む。
【図１２】ローブ付きシュラウドの一実施形態の部分上面図であり、ローブ付きシュラウドは、複数の球状形状を有するローブパイロット開口部を含む。
【図１３】ローブ付きシュラウドの一実施形態の部分上面図であり、ローブ付きシュラウドは、テーパ形状を有するローブパイロット開口部を含む。
【発明を実施するための形態】
【００１０】
本開示の１つまたは複数の特定の実施形態が、以下に説明されることになる。これらの実施形態の簡潔な説明を提供しようと努力しても、実際の実装のすべての特徴を本明細書に記載することができるというわけではない。任意のエンジニアリングまたは設計プロジェクトにおけるような、任意のこのような実際の実装の開発においては、例えば、システム関連およびビジネス関連の制約の遵守のような開発者の特定の目標を達成するために、別の実装によって異なる可能性がある多くの実装の詳細が決定される必要があることを理解されたい。さらに、このような開発作業は複雑で時間がかかるかもしれないが、にもかかわらず、この開示の利益を得る当業者にとっては、設計、製作、および製造の日常的な仕事であることが理解されるべきである。
【００１１】
本発明の様々な実施形態の要素を導入する場合に、単数の表現（「１つの（ａ、ａｎ）」）および「前記（ｔｈｅ、ｓａｉｄ）」は１つまたは複数の要素があることを意味するものである。「備える（ｃｏｍｐｒｉｓｉｎｇ）」、「含む（ｉｎｃｌｕｄｉｎｇ）」、および「有する（ｈａｖｉｎｇ）」という用語は、包括的なものであって、列挙された要素以外の付加的な要素があり得ることを意味するものである。
【００１２】
本開示は、ガスタービンエンジンにおいて使用するための燃料ノズルアセンブリに関する。燃料ノズルアセンブリは、火炎を発生させるために、ガスタービンエンジンの燃焼領域（例えば、火炎領域）に燃料と酸化剤（例えば、空気）との混合物を提供する。タービンは、火炎からの熱エネルギーを、機械、例えば発電機、ポンプなどに電力を供給するために使用される機械エネルギーに変換する。燃料ノズルアセンブリは、一般に、燃焼領域における燃料ノズルアセンブリの下流での火炎の特性（例えば、長さ、形状など）ならびに排出物の生成を制御する。例えば、燃料ノズルアセンブリは、燃料および空気流を受け入れて混合物を生成するための内部容積を画定する支持構造（例えば、本体）を含む。さらに、燃料ノズルアセンブリは、燃料と空気の混合物の流れを互いに間隔をあけた複数のストリームに分離する通路を画定する複数のローブを含む支持構造に取り外し可能に結合されたノズルシュラウドを含む。ローブは、燃料ノズルアセンブリの下流端部まで延在し、それにより燃料ノズルアセンブリから出るときにストリームを分離するのを助ける。燃料ノズルアセンブリ内の燃料と空気の混合物を複数のストリームに分離することによって、燃焼領域で生成された一次火炎を、分割されていない燃料と空気の混合物から生成された一次火炎と比較してより短い火炎長（およびより小さい容積）を有する複数の火炎に分離することができる。加えて、燃料ノズルアセンブリは、燃料と空気の混合物の混合を加速する複数の水力直径を含み、それにより均一に燃える（例えば、燃焼する）均質な燃料と空気の混合物を生成する。このように、本明細書で開示される燃料ノズルアセンブリは、高い火炎温度（例えば、１５００℃を超える火炎温度）で生成される排出物を減少させることができ、小さな反応ゾーン容積（例えば、約５ミリ秒（ｍｓｅｃ）以下の反応ゾーン時間）を有する燃焼器に使用されることができる。燃料ノズルアセンブリの水力直径は、流れ面積（ＦＡ）／濡れ周囲（Ｐ）の４倍（４ＦＡ／Ｐ）として定義され、ここでＰは燃料／空気混合物の流れと接触する外周面である。
【００１３】
ノズルシュラウドはまた、追加の燃料と酸化剤（例えば、空気）を混合し、追加の燃料と空気の混合物を燃焼領域に導いて二次火炎を生成するローブ通路（例えばローブフィンガ）を含む。二次火炎は複数の火炎をノズルシュラウドアセンブリに固定し、それによって低負荷状態で複数の一次火炎を安定化させる。一次火炎の特性（例えば、炎の長さ／形状）を変えることにより、約１５００℃未満の火炎温度に対して、ＣＯおよび未燃焼炭化水素（ＵＨＣ）排出物の生成を低減することができる（すなわち燃焼効率を高める）。加えて、開示された燃料ノズルは燃焼効率を高めるので、燃料ノズルアセンブリは、小さな反応時間ゾーンを有する燃焼器とともに使用され得る。このように、ここで説明されているシステムは、例えば、製造コストを低減し、装置の寿命を延ばし、および／または排出物を低減することができる。
【００１４】
図１は、タービンシステム１０の一実施形態のブロック図を示している。以下で詳細に説明するように、開示されたタービンシステム１０（例えば、ガスタービンエンジン）は、システムの耐久性、操作性、および信頼性を向上させることができる後述する燃料ノズルアセンブリを使用することができる。図示されているように、システム１０は、（例えば、１つまたは複数の圧縮段を有する）圧縮機１２、１つまたは複数のタービン燃焼器１４、および（例えば１つまたは複数のタービン段を有する）タービン１６を含む。タービン燃焼器１４は、タービンシステム１０の回転軸の周りに周方向に延在する環状燃焼器であってもよいし、システム１０は、回転軸の周りに周方向に間隔を置いて配置された複数の燃焼器１４を含んでもよい。タービン燃焼器１４は、空気、酸素、酸素富化空気、酸素還元空気、またはそれらの任意の組み合わせなどの、燃料２２および加圧酸化剤２４の両方を受け取るように構成された１つまたは複数の燃料ノズルアセンブリ２０を含むことができる。以下の説明では、酸化剤として空気２４を参照しているが、任意の適切な酸化剤を開示された実施形態で使用することができる。さらに、特定の実施形態では、燃料ノズルアセンブリ２０の上流の酸化剤に、１つまたは複数の流体（例えば、燃料、蒸気、窒素などの不活性ガス、排気ガス再循環（ＥＧＲ）ガス、またはそれらの任意の組み合わせ）が加えられてもよい。燃料ノズルアセンブリ２０は、燃料２２（例えば、天然ガス、合成ガス、もしくはそれらの組み合わせなどの液体燃料および／またはガス燃料）をタービン燃焼器１４に送る。各燃料ノズルアセンブリ２０は、図３〜図１３を参照して以下でさらに詳細に説明するように、ローブ付きシュラウド２６を含む。ローブ付きシュラウド２６は、タービン燃焼器１４に隣接して燃料ノズルアセンブリ２０の下流端部に配置されている。ローブ付きシュラウド２６は、燃料ノズルアセンブリ２０の周りに周方向に配置された複数のローブ２５（例えば、径方向突出部）を含み、それによって、燃料ノズルアセンブリ２０の周りに周方向に配置された複数のローブ通路２７（例えば、中間スロット、流路、またはローブ流路）を画定する。言い換えれば、ローブ付きシュラウド２６は、燃料ノズルアセンブリ２０の周りで周方向にローブ２５とローブ通路２７とを交互に繰り返す。このようにして、複数のローブ通路２７（ローブ２５によって生じる周方向のスプリットまたはセグメントによる）は、燃料２２および空気２４の流れを、燃料ノズルアセンブリ２０を出る混合燃料空気流（すなわちストリーム）の複数の実質的に別個の流れすなわちストリームに分割する。さらに、ローブ付きシュラウド２６は、燃料と空気の混合物の流れを分離する追加の通路、例えばローブ２５の各々における１つまたは複数の微小混合通路を画定する。したがって、追加の通路内の燃料と空気の混合物の燃焼から発生する一次火炎を、分割されていない燃料と空気の混合物の一次火炎と比べて短い複数の一次火炎に分離することができる。一次火炎の長さを減少させることによって、燃焼領域の全体的な容積、ひいては燃焼器１４の容積を減少させることができる。
【００１５】
圧縮機ブレードは、圧縮機１２の構成要素として含まれる。圧縮機１２内のブレードは、シャフト２８に結合されており、後述するように、シャフト２８がタービン１６によって回転駆動されると回転する。圧縮機１２内のブレードの回転は、空気取り入れ口３０からの空気３２を加圧空気２４に圧縮する。加圧空気２４は、その後、タービン燃焼器１４の燃料ノズルアセンブリ２０に供給される。加圧空気２４および燃料２２の第１の部分は、ローブ付きシュラウド２６および燃料ノズルアセンブリ２０の中心体によって画定された通路内で混合され、加圧空気２４および燃料２２の第２の部分は、ローブ付きシュラウド２６のローブに関連するローブ通路内で混合される。このように、加圧空気２４および燃料２２の第１および第２の部分は、燃料２２を浪費しないように、または排出物が過剰にならないように、燃焼（例えば、燃料をより完全に燃やす燃焼）のための適切な燃料空気混合比を生成する。
【００１６】
タービン燃焼器１４は、燃料空気混合物を点火して燃焼させた後、高温加圧燃焼ガス３４（例えば、排気）をタービン１６に送る。タービンブレードはシャフト２８に結合され、タービンシステム１０全体のいくつかの他の構成要素にも結合される。燃焼ガス３４がタービン１６内のタービンブレードに対しておよびタービンブレードの間を流れるにつれて、タービン１６が回転駆動され、これによりシャフト２８が回転する。最終的に、燃焼ガス３４は、排気口３６を介してタービンシステム１０を出る。さらに、シャフト２８は、シャフト２８の回転により動力を与えられる負荷３８に結合されてもよい。例えば、負荷３８は、発電機や飛行機のプロペラなど、タービンシステム１０の回転出力を介して動力を生成することができる任意の適切なデバイスであってもよい。
【００１７】
上述のように、ローブ付きシュラウド２６は、燃料ノズルアセンブリ２０を通って流れる燃料と空気の混合物の流れの少なくとも一部を分離する（例えば、分割する）。以下の説明では、タービンシステム１０の軸方向の軸もしくは方向４０、径方向の軸もしくは方向４２、および／または周方向の軸もしくは方向４４を参照することができる。図２は、タービン燃焼器１４に燃料２２および空気２４を供給するための、１つまたは複数の燃料ノズルアセンブリ２０および関連するローブ付きシュラウド２６を有するシステム１０のタービン燃焼器１４（例えば、環状燃焼器）の斜視図である。以下の議論では、環状燃焼器としてのタービン燃焼器１４について言及しているが、任意の他の適切な燃焼器構成を燃料ノズルアセンブリ２０とともに使用してもよい。図示の実施形態では、タービン燃焼器１４は、第１の燃焼器境界４８（例えば、内側環状壁）と第２の燃焼器境界５０（例えば、外側環状壁）とによって画定される環状領域４６を含む。壁５０（例えば、第２の燃焼器境界）は、回転軸４１の周りに周方向に配置され、領域４６は壁５０の周りに周方向に配置され、壁４８（例えば第１の燃焼器境界）は領域４６および壁５０の周りに周方向に配置されている。タービン燃焼器１４は、環状領域４６内に複数のノズルステム５２（例えば、径方向突出部、アーム、スポーク、または片持ち梁状の部材）を含む。例えば、タービン燃焼器１４は、１，２，３，４，５，６，７，８，９，１０，１１，１２，１３，１４，１５個、またはそれ以上のノズルステム５２を含むことができる。各ノズルステム５２は、隣接するノズルステム５２から周方向に（例えば、周方向軸４４に沿って）距離５３だけ離間している。ノズルステム５２は、ノズルステム５２をタービン燃焼器１４に結合して固定するのを容易にするための取り付けシステム（例えば、取り付けフランジ）を含むことができる。
【００１８】
図示のノズルステム５２は、それぞれ２つの燃料ノズルアセンブリ２０を含む。例えば、ノズルステム５２は、外側燃料ノズルアセンブリ５４および内側燃料ノズルアセンブリ５６を含むことができる。特定の実施形態では、ノズルステム５２は、それぞれ、１つの燃料ノズルアセンブリ２０または任意の数のノズルアセンブリ２０（例えば、１，２，３，４，５，６，７，８，９，１０個、またはそれ以上）を含むことができる。上述したように、燃料ノズルアセンブリ２０は、燃料２２と空気２４との混合物をタービン燃焼器１４の燃焼器領域に送るように構成される。例えば、燃料ノズルアセンブリ２０は、燃料と空気の混合物をタービン燃焼器１４の環状領域４６に導き、そこで燃料と空気の混合物が燃焼して１つまたは複数の機械（例えば発電機や飛行機プロペラ等）に動力を供給するために使用される熱エネルギーを生成する。各ノズルステム５２上の外側燃料ノズルアセンブリ５４および内側燃料ノズルアセンブリ５６は、燃料２２および／または酸化剤２４の同じもしくは異なるタイプ、組成、および／または量を出力することができる。例えば、外側燃料ノズルアセンブリ５４は液体燃料２２を出力してもよく、内側燃料ノズルアセンブリ５６はガス燃料２２を出力してもよく、その逆も可能である。同様に、外側燃料ノズルアセンブリ５４は空気２４を出力してもよく、内側燃料ノズルアセンブリ５６は天然ガスおよび／または合成ガス（例えば、酸化剤２４）を出力してもよく、その逆も可能である。
【００１９】
特定の実施形態では、外側燃料ノズルアセンブリ５４および内側燃料ノズルアセンブリ５６のローブ付きシュラウド２６は、燃料と空気の混合物の流れを分離する通路を画定する等しい数のローブを有してもよい。例えば、外側燃料ノズルアセンブリ５４および内側燃料ノズルアセンブリ５６のローブ付きシュラウド２６の各々は、２から１００個、またはそれ以上の任意の数のローブ２５、例えば２，４，６，８，１０，１５，２０，２５個、またはそれ以上の数のローブ２５を有してもよい。他の実施形態では、それぞれの燃料ノズルアセンブリ５４，５６のローブ付きシュラウド２６のローブ２５の数が異なる。
【００２０】
図３は、燃料２２および空気２４をタービン燃焼器１４に供給するために使用され得る燃料ノズルアセンブリ２０の一実施形態の断面図である。また、ローブ付きシュラウド２６の詳細図が図７に示されており、図３の説明を通して参照される。燃料ノズルアセンブリ２０は、ローブ付きシュラウド２６に加えて、本体６０（例えば、支持構造体）および中心体６２を含む。一実施形態では、本体６０、中心体６２、およびローブ付きシュラウド２６は、例えば、ボルト、クランプ、締まり嵌め、雄雌継手、またはそれらの組み合わせなどの取り外し可能な締結具を介して互いに取り外し可能に結合された別個の構造体である。本体６０、中心体６２、およびローブ付きシュラウド２６はそれぞれ、燃料ノズルアセンブリ２０の軸方向軸７７の周りに周方向４４に延在し、概ね環状形状を有することができる。特定の実施形態では、燃料ノズルアセンブリ２０の各構成要素（例えば、本体６０、中心体６２、およびローブ付きシュラウド２６）は分離可能である。他の実施形態では、本体６０および中心体６２は、単一の構造体（例えば、一体形成されている）であり、ローブ付きシュラウド２６は、単一の構造体（例えば、本体６０と中心体６２）に取り外し可能に結合された別個の構造体である。すなわち、本体６０と中心体６２は分離不可能であり、ローブ付きシュラウド２６は分離可能（例えば取り外し可能）である。本体６０、中心体６２、およびローブ付きシュラウド２６は、単一の構造体（例えば、分離不能）であってもよいことに留意されたい。本体６０、中心体６２、およびローブ付きシュラウド２６は、本体６０、中心体６２、およびローブ付きシュラウド２６が１つの構造体（取り外し可能に結合されていない）または別個の構造体（例えば、取り外し可能に結合されている）であるように、３Ｄ印刷／追加の製造技術によって製造され得る。本体６０に取り外し可能に結合されたローブ付きシュラウド２６を有する実施形態では、本体６０およびローブ付きシュラウド２６は、ボルト、ねじ、締結具、または任意の他の適切な結合構造などの結合機構を含み、本体６０およびローブ付きシュラウド２６の結合および結合解除を容易にすることができる。特定の実施形態では、中心体６２は、締まり嵌めを介して本体６０、ローブ付きシュラウド２６、またはそれらの組み合わせに結合されてもよい。
【００２１】
燃料ノズルアセンブリ２０は、本体６０、中心体６２、およびローブ付きシュラウド２６によって画定される燃料ノズルアセンブリ２０の内部容積を通る燃料２２および空気２４の流れを促進する様々な機構を含む。例えば、中心体６２は、燃料ノズルアセンブリ２０の下流端部７２に第１の中心パイロット開口部７１（例えば、軸方向開口部）と、端部７２から軸方向４０に上流の第２の中心パイロット開口部７４とを有する中心パイロット７０を画定する中心パイロット導管６９（例えば、中央環状壁）を含む。導管６９（または壁）は、軸方向軸７７の周りに周方向４４に延在しており、それにより、開口部７１と７４との間で軸方向４０に延在する軸方向通路７３を画定する。
【００２２】
第２の中心パイロット開口部７４は、第１の中心パイロット通路７８（例えば、導管）および１つまたは複数の第２の中心パイロット通路８０（例えば、導管）を有する燃料噴射器７６に流体的に結合される。第１の中心パイロット通路７８は、軸方向軸７７に沿って延在し、一方、１つまたは複数の第２の中心パイロット通路８０は、軸方向軸７７から径方向４２にオフセットされている。特定の実施形態では、通路７８，８０（例えば、導管）は、互いに、および／または燃料ノズルアセンブリ２０の軸方向軸７７と同軸である。例えば、第２の中心パイロット通路８０（例えば、導管）は、第２の中心パイロット通路８０が第１の中心パイロット通路７８の周りに環を形成するように、第１の中心パイロット通路７８（例えば、導管）の周りに周方向４４に配置されてもよい。通路７８，８０は、燃料２２および／または加圧空気２４（例えば、圧縮機１２から）を受け取り、第１のパイロット開口部８４および第２のパイロット開口部８６を介して中心パイロット７０と関連する混合領域９０（例えば、破線のボックスで示す）に燃料２２および／または空気２４を供給する。第１の混合領域９０は、燃料２２と空気２４との混合を容易にするために、開口部８４，８６に隣接する１つまたは複数のベーン９１（例えば、旋回ベーンまたは径方向スワラ）を含むことができる。例えば、第１の混合領域９０は、１，２，３，４，５，６，７，８，９，１０個、またはそれ以上の旋回ベーン９１を含むことができる。
【００２３】
中心体６２はまた、軸方向軸７７および中心パイロット７０から径方向４２にオフセットした先端冷却通路９２（例えば、壁または導管９３および９５）を含む。先端冷却通路９２は、軸方向軸７７の周りに周方向４４に間隔を置いて配置された複数の別個の通路、および／または軸方向軸７７の周りに周方向４４に延在する共通の環状通路を含むことができる。特定の実施形態では、先端冷却通路９２は、中心パイロット７０と（例えば、軸方向軸７７に沿って）同軸であってもよい。先端冷却通路９２（例えば、導管９３および９５）は、下流端部７２において、中心パイロット７０の少なくとも一部（例えば、導管６９）を周方向４４に取り囲んでいる。図示された実施形態では、導管９３（例えば、環状壁）は、通路９２の下流に向けられた部分と導管９５（例えば、環状壁）とを周方向４４に取り囲んでおり、導管９５は、通路９２の上流に向けられた部分と中心パイロット７０の導管６９とを周方向４４に取り囲んでおり、導管６９（例えば、環状壁）は、軸方向軸７７に沿って通路７３を取り囲んでいる。
【００２４】
冷却流体（例えば、燃料２２および／または加圧空気２４）は、矢印９４で示すように、先端冷却通路９２を通って（例えば、導管９３と９５との間で）下流端部７２に向かって流れ、（例えば、フィルム冷却、インピンジメント冷却、または他の適切な冷却技術により）燃料ノズルアセンブリ２０の下流端部７２を冷却する。例えば、図示された実施形態では、冷却流体９４は、下流端部７２付近の有孔冷却板９７（例えば、インピンジメントおよび／またはフィルム冷却板）内の１つまたは複数の軸方向インピンジメント開口部９６（例えば、１〜１００個）を通って流れ、燃料ノズルアセンブリ２０の内面９８（例えば、軸方向の端板）に突き当たり、それによって内面９８を冷却する。例えば、複数のインピンジメント開口部９６（例えば、１，２，３，４，５，６，７，８，９，１０，１５，２０，５０個、またはそれ以上）は、プレート９７に沿って異なる径方向位置および周方向位置で軸方向軸７７の周りに周方向４４に間隔を置いて配置されてもよく、インピンジメント開口部９６は、軸方向軸７７に対して異なる角度（例えば、平行、または１０，２０，３０，４０，５０，６０，７０もしくは８０度の鋭角）に向けられてもよい。各インピンジメント開口部９６は、冷却通路９２の径方向４２の幅（例えば、インピンジメント開口部９６の上流）に比べて小さい直径を有する。このようにして、インピンジメント開口部９６を通って流れる冷却流体９４の速度が増加し、それにより、内面９８での冷却流体９４のインピンジメントおよび冷却が容易になる。
【００２５】
内面９８でのインピンジメントの後、通路９２を通って流れる冷却流体９４は、下流側軸方向（例えば、導管９３と９５との間）から上流の軸方向（例えば、導管９５と６９との間）へ流れ方向を変える。冷却通路９２（例えば、導管９５と６９との間）は、冷却流体９４を第１の混合領域９０に向かって上流に導き、冷却流体９４は、第１の混合領域９０内の導管６９（例えば、中心パイロット７０の環状壁）を通る１つまたは複数の径方向開口部１００（例えば、１〜１００個）を介して先端冷却通路９２から出る。例えば、複数の径方向開口部１００（例えば、１，２，３，４，５，６，７，８，９，１０，１５，２０，５０個、またはそれ以上）は、導管６９に沿った異なる軸方向および周方向の位置で軸方向軸７７の周りに周方向４４に間隔を置いて配置されてもよく、径方向開口部１００は、軸方向軸７７に対して異なる角度（例えば、垂直、または１０，２０，３０，４０，５０，６０，７０もしくは８０度の鋭角）に向けられてもよい。冷却流体９４は、第１の中心パイロット開口部７１を通って燃料ノズルアセンブリ２０を出る前に、第１の混合領域９０において燃料噴射器７６を出る燃料２２および空気２４と混合する。
【００２６】
燃料噴射器７６に加えて、燃料ノズルアセンブリ２０は、追加の燃料２２を燃料ノズルアセンブリ２０内の他の混合領域に供給する追加の燃料噴射ポートを含む。例えば、中心体６２は、第２の混合領域１０６内の混合チャンバ１０４（例えば、環状チャンバ）に流体的に結合された燃料ポート１０３（例えば、燃料噴射出口）まで延在する１つまたは複数の燃料通路１０２（例えば、燃料導管）を含む。以下にさらに詳細に説明するように、混合チャンバ１０４は、ローブ２５およびローブ通路２７の直ぐ上流のスロート１０７（例えば、減少した流れ断面積を有する環状スロート）に徐々に収束してもよい。燃料ポート１０３は、スロート１０７の上流、下流、または軸方向位置に直接に配置されてもよい。さらに、複数の燃料ポート１０３（例えば、１，２，３，４，５，６，７，８，９，１０，１５，２０，５０個、またはそれ以上）は、異なる軸方向、径方向、および周方向の位置で軸方向軸７７の周りに周方向４４に間隔を置いて配置されてもよく、燃料ポート１０３は、軸方向軸７７に対して異なる角度（例えば、平行、垂直、または１０，２０，３０，４０，５０，６０，７０もしくは８０度の鋭角）に向けられてもよい。特定の実施形態では、燃料通路１０２は、燃料ノズルアセンブリ２０の軸方向軸７７に沿って軸方向４０に延在する第１の部分と、（例えば、径方向軸４２に沿って）軸７７に対して交差する（燃料ポート１０３を含む）第２の部分とを含む。燃料通路１０２は追加の燃料２２を混合チャンバ１０４に供給し、追加の燃料２２は追加の空気２４と混合される。例えば、追加の燃料２２は、軸方向４０の燃料通路１０２を通って混合チャンバ１０４に向かって流れ、その後、燃料ポート１０３を通って径方向４２の混合チャンバ１０４に流れる。混合チャンバ１０４において、追加の燃料２２は、燃料ノズルアセンブリ２０の下流端部７２に向かって流れる追加の空気２４の軸流と（例えば、軸方向軸７７に沿って）混合される。
【００２７】
混合チャンバ１０４は、本体壁１０８の少なくとも一部と中心体壁１１０の第１の部分とによって画定される。壁９３を含み得る中心体壁１１０は、概して、軸方向軸７７の周りに周方向４４に延在する（例えば、環状壁１１０）。本体壁１０８は、概して、軸方向軸７７および中心体壁１１０の周りに周方向４４に延在する（例えば、環状壁１０８）。混合チャンバ１０４は、混合チャンバ１０４内で発生した燃料と空気の混合物を別個の流路に分離する（例えば、周方向４４に分割する）周方向４４に間隔を置いて配置された複数のローブ通路２７（例えば、隣接するローブ２５間の中間通路またはスロット）の上流にあり、その結果、上述したように、火炎成形および安定化をもたらす。図示された実施形態では、ローブ通路２７は、中心体壁１１０の第２の部分と第１のローブ付きシュラウド壁１１３（例えば、内壁）とによって画定される。ローブ付きシュラウド壁１１３は、軸方向軸７７の周りで周方向４４に直径を交互にし、それによってローブ２５とローブ通路２７の交互配置を確定する。例えば、上述したように、ローブ付きシュラウド２６は、混合チャンバ１０４内で生成された（例えば、分割によって）燃料と空気の混合物の流れの形状を変化させるように構成され、一方、ローブ付きシュラウド２６は、ローブ付きシュラウド２６のようなローブ付きシュラウドを含まない燃料ノズルアセンブリの流れ面積を維持することもできる。燃料と空気の混合物の流れの形状の変化は、第２の混合領域１０６における予混合を促進し、それによって燃焼器１４内の火炎を安定させる。
【００２８】
図３に示すように（図７の詳細図も参照）、ローブ２５は実線で示され、ローブ通路２７は破線で示されている。混合チャンバ１０４の径方向寸法１０５が実線矢印１０５で示され、ローブ通路２７（例えば、中心体壁１１０とシュラウド壁１１３の径方向最外面１１５との間）の径方向寸法１１４（例えば、径方向通路寸法または径方向長さ）が破線矢印１１４で示され、ローブ２５（例えば、シュラウド外壁１５４とシュラウド壁１１３の径方向最内面１１９との間）の径方向寸法１１６（例えば、径方向ローブ寸法または径方向長さ）が実線矢印１１６で示され、ローブギャップ１１８（例えば、中心体壁１１０とシュラウド壁１１３の径方向最内面１１９との間）の径方向寸法１１７（例えば、径方向ギャップ寸法）が実線矢印１１７で示されている。さらに、ローブ通路２７（例えば、スロート１０７と下流端部７２との間）の軸方向寸法１２１（例えば、軸方向通路寸法）が実線矢印１２１で示され、ローブ２５（例えば、スロート１０７と下流端部７２との間）の軸方向寸法１２３（例えば、軸方向ローブ寸法）が実線矢印１２３で示されている。以下にさらに詳細に説明するように、ローブ通路２７、ローブ２５、およびローブギャップ１１８に関連する径方向寸法１１４，１１６，および／または１１７は、ローブ通路２７およびローブ２５の軸方向寸法１２１および／または１２３に沿って軸方向４０において一定および／または可変であってもよい。例えば、複数のローブ２５のうちの少なくとも１つのローブ２５は、ローブ２５の軸方向ローブ寸法１２３に沿って一定の径方向ローブ寸法１１６を含むことができ、または複数のローブ通路２７の少なくとも１つの通路２７は、ローブ通路２７の軸方向通路寸法１２１に沿って一定の径方向通路寸法１１４を含むことができ、あるいはそれらの組み合わせも可能である。さらなる例として、複数のローブ２５の少なくとも１つのローブ２５は、ローブ２５の軸方向ローブ寸法１２３に沿って可変の径方向ローブ寸法１１６（例えば、下流方向に徐々に増加する、減少する、またはその両方）を含むことができ、または複数のローブ通路２７の少なくとも１つの通路２７は、ローブ通路２７の軸方向通路寸法１２１に沿って可変の径方向通路寸法１１４（例えば、下流方向に徐々に増加する、減少する、またはその両方）を含むことができ、あるいはそれらの組み合わせも可能である。
【００２９】
図３の図示された実施形態において（図７の詳細図も参照）、混合チャンバ１０４は、ローブ２５、ローブ通路２７、および下流端部７２に向かう下流方向の径方向寸法すなわち寸法１０５の減少によって示されるように、スロート１０７（例えば、減少した流れ断面積を有する環状スロート）に徐々に収束することができる。次いで、スロート１０７の後にはローブ２５、ローブ通路２７、およびローブギャップ１１８が続くことができ、これらは、径方向寸法（例えば、１１４，１１６，および１１７）が異なっていてもよい。図示された実施形態では、ローブ通路２７を画定する径方向最外面１１５は、概して、スロート１０７から下流端部７２に向かって下流方向に、軸方向軸７７から径方向外側４２に向かって（例えば、直線的に、非直線的に、湾曲して）広がり、したがって、径方向寸法１１４は、下流方向に徐々に（例えば、直線的または非直線的に）増加する。いくつかの実施形態では、径方向寸法１１４は、下流方向に増加する前に、ある軸方向距離で減少し得る、および／または一定のままであり得る。対照的に、ローブ２５およびローブギャップ１１８を画定する径方向最内面１１９は、概して、下流端部７２に向かって下流方向に軸方向軸７７に向かって径方向内側４２に（例えば、直線的に、非直線的に、湾曲して）収束し、したがって、径方向寸法１１７が下流方向に（例えば、直線的または非直線的に）徐々に減少する一方で、径方向寸法１１６は下流方向に（例えば、直線的または非直線的に）徐々に増加する。いくつかの実施形態では、径方向寸法１１７は、下流方向に減少する前にある軸方向距離で増加し得る、および／または一定のままであり得る。さらに、ローブ通路２７を画定する径方向最外面１１５ならびにローブ２５およびローブギャップ１１８を画定する径方向最内面１１９は、概して、下流端部７２に向かって下流方向に互いに径方向４２に離れるように広がる。いくつかの実施形態では、ローブ通路２７を画定する径方向最外面１１５の広がり（例えば、径方向寸法１１４の増加）ならびにローブ２５およびローブギャップ１１８を画定する径方向最内面１１９の収束（例えば、径方向寸法１１７の減少）は、互いに反比例する可能性がある。
【００３０】
図３にさらに示すように（図７の詳細図も参照）、徐々に収束するローブ２５およびローブギャップ１１８ならびに徐々に広がる（または膨張する）ローブ通路２７は、燃料２２および空気２４の流れを複数の燃料空気流に徐々に分離または分割するのに役立ち、この流れは、最終的に燃料ノズルアセンブリ２０の下流端部７２から出る。また、例えば、任意の損失を実質的に低減すること、実質的に一定の流れ断面積を維持すること、および／または流れ断面積を下流方向に徐々に増加させることによって、ローブ２５およびローブギャップ１１８の同時収束（例えば、幅１１７の減少）ならびにローブ通路２７の広がり（例えば、幅１１４の増加）は、燃料ノズルアセンブリ２０を通る適切な流量を維持するのに役立つ。例えば、径方向寸法１１４と径方向寸法１１７（またはローブ２５の径方向寸法）との間の反比例の関係は、下流方向において実質的に一定の流れ断面積を維持するのに役立つことができる。特定の実施形態では、複数のローブ２５の少なくとも１つのローブ２５のローブ寸法は、燃料ノズルアセンブリ２０の軸方向軸７７に沿って下流側軸方向４０における複数のローブ通路２７の少なくとも１つの通路２７の通路寸法とは逆に変化する。ローブ寸法は、ローブ２５の径方向ローブ寸法１１６、ローブ２５のローブ幅（例えば、図５に示す幅１９６）、ローブ２５のローブ断面積（すなわち、径方向４２に向けられた平面を通る）を含むことができる。通路寸法は、ローブ通路２７の径方向通路寸法１１４、ローブ通路２７の通路幅（例えば、図５に示す幅１９８）、またはローブ通路２７の通路断面積（すなわち、径方向４２に向けられた平面を通る）を含むことができる。特定の実施形態では、下流端部７２に向かって下流側軸方向４０に通路寸法が減少する一方でローブ寸法が増加し、または、下流端部７２に向かって下流側軸方向４０に通路寸法が増加する一方でローブ寸法が減少し、あるいはそれらの組み合わせも可能である。
【００３１】
例えば、ローブ通路２７は、混合チャンバ１０４の第２の径方向寸法１０５より小さい第１の径方向寸法１１４を有する。したがって、混合チャンバ１０４内の燃料と空気の混合物の流れの水力直径は、ローブ通路２７内の燃料と空気の混合物の流れの水力直径よりも大きい。例えば、混合チャンバ１０４の水力直径は、約１０ミリメートル（ｍｍ）〜約１１０ミリメートルであってもよく、ローブ通路２７の水力直径は、約４ｍｍ〜約１０ｍｍであってもよい。上述のように、水力直径は４ＦＡ／Ｐに等しく、ここでＰは燃料／空気混合物の流れと接触する外周面である。特定の実施形態では、混合チャンバ１０４の最小径方向寸法が第１の径方向寸法１１４にほぼ等しくなるように、第２の径方向寸法１０５は下流端部７２に向かって減少する。このようにして、混合チャンバ内の燃料と空気の混合物の流れは、ローブ通路２７に向かって徐々に収束し、それによって、より狭いローブ通路２７に流れるときに燃料と空気の混合物の流速を増加させる。
【００３２】
流れを分割する一方で、ローブ２５およびローブ通路２７は、燃料２２および空気２４の予混合を容易にすることができる。第２の混合領域１０６は、燃料通路１０２からの燃料２２に加えて、１つまたは複数の本体ベーン１２４（例えば、１〜５０個のベーン）を取り囲む（例えば、軸方向軸７７の周りに）本体プレナムチャンバ１２０から燃料２２をさらに受け取ることができる。特定の実施形態では、本体ベーン１２４の各々は、燃料と空気の混合を促進するために流れを旋回させるように構成された軸方向および／または径方向の旋回ベーンのような旋回ベーンであってもよい。本体プレナムチャンバ１２０および１つまたは複数の本体ベーン１２４（例えば、２，３，４，５，６，７，８，９，１０個、またはそれ以上）は、混合チャンバ１０４の上流にある。本体プレナムチャンバ１２０は、本体プレナムチャンバ１２０から混合チャンバ１０４への燃料２２の流れを可能にする複数の主ベーン開口部１２６（例えば、ベーンごとに１〜５０個）と流体連通している。主ベーン開口部１２６は、各ベーン１２４の前縁１２５と後縁１２７との間に軸方向に、後縁１２７に直接もしくは近接して、または他の任意の適切な位置に配置されてもよい。本体プレナムチャンバ１２０は、燃料２２の径方向の流れ（例えば、径方向軸４２に沿った）を本体プレナムチャンバ１２０に供給する本体外壁１３０に本体開口部１２８（例えば、径方向開口部）を含む。燃料２２は、本体プレナムチャンバ１２０から本体開口部１２８を通って混合チャンバ１０４に流入する。本体ベーン１２４（例えば、旋回ベーン）は、混合チャンバ１０４に向かって流れる燃料２２と空気２４の混合を容易にする。混合チャンバ１０４では、本体プレナムチャンバ１２０からの燃料２２と空気２４とが、燃料通路１０２からの燃料２２と混合する。
【００３３】
燃料通路１０２と本体プレナムチャンバ１２０における燃料２２は、同じであっても異なっていてもよい。例えば、一実施形態では、燃料通路１０２内の燃料２２は１種類の燃料であってもよく、本体プレナムチャンバ１２０内の燃料２２は、燃料通路１０２内の第１の種類の燃料２２とは異なる第２の種類の燃料であってもよい。例えば、燃料は、異なるガス燃料、異なる液体燃料、または異なるガスおよび液体燃料の組み合わせであってもよい。他の実施形態では、燃料通路１０２と本体プレナムチャンバ１２０の両方における燃料２２のタイプは同じであってもよい。また、燃料通路１０２と本体プレナムチャンバ１２０における燃料２２は、同じ組成であっても異なる組成であってもよい。中心パイロット通路７８，８０内の燃料２２は、燃料通路１０２、本体プレナムチャンバ１２０、またはそれらの組み合わせにおける燃料２２と同じであっても異なっていてもよいことに留意されたい。したがって、複数の燃料噴射通路（例えば、中心パイロット通路７８，８０、燃料通路８０、および本体プレナムチャンバ１２０）は、燃料ノズルアセンブリ２０が少なくとも２つの異なる燃料を使用することを可能にする。この場合も、燃料は、異なるガスおよび／または液体燃料であってもよい。
【００３４】
上述したように、混合チャンバ１０４は、スロート１０７におよび／またはローブ通路２７に部分的に収束することができ、例えば、径方向寸法１０５は、チャンバ１０４からスロート１０７への下流方向に減少してもよく、および／または、ローブ通路２７の上流部分に沿った径方向寸法１１４は、径方向寸法１０５より小さくてもよい。その結果、燃料および空気がベーン１２４および燃料ポート１０３から下流に混合するにつれて、燃料空気流は、流れ断面積の収束およびそれに付随する圧力低下を経験し、流体速度を増加させ、それにより、ローブ通路２７を通過する流れの燃料と空気の混合を促進することができる。さらに、図７〜図１３を参照して以下に詳細に説明するように、ローブ通路２７は、軸方向軸７７に沿って可変の径方向寸法１１４を有してもよく、ローブ通路２７内の燃料と空気の混合物と燃焼領域内の燃料と空気の混合物との間の圧力の変化は、ローブ付きシュラウド２６を含まないシステムにおける燃料と空気の混合物の圧力変化と同等である。例えば、ローブ通路２７は、ローブ通路２７の最大径方向寸法１１４が下流端部７２になるように、径方向寸法１１４を増加させるか、または下流端部７２に向かって径方向寸法すなわち直径１１４を増減させることができる。下流端部７２に向かうローブ通路２７の径方向寸法１１４の増加はまた、ローブ通路２７内の燃料と空気の混合物の滞留時間を増加させ、それによって、第２の混合領域１０６における燃料２２および空気２４の混合を促進することができる。
【００３５】
中心パイロット７０およびローブ通路２７内の燃料と空気の混合物から生成された一次火炎に加えて、燃料ノズルアセンブリ２０は、燃料ノズルアセンブリ２０の後方側１４２に小規模の二次火炎（例えば、微小火炎）を生成するように構成される。微小火炎は、高温燃焼（例えば、約１５００℃（約３０００°Ｆ）より高い）および／または小型燃焼器に関連する排出物を低減することができるコンパクトな燃料および空気燃焼ゾーン（例えば、反応ゾーン）を作り出す。例えば、ローブ付きシュラウド２６は、ローブ付きシュラウド２６内の１つまたは複数のローブに関連するローブフィンガ１４８（例えば、酸化剤供給通路および／または空気燃料微小混合通路）およびローブ燃料通路１５０（例えば、ローブフィンガ１４８と交差する）を有する第３の混合領域１４６を含む。以下でさらに詳細に説明するように、ローブフィンガ１４８（例えば、通路）は、燃料通路１５０から燃料を受け取り、また燃料通路１５０の上流の酸化剤（例えば、空気）を受け取り、これにより、フィンガ１４８内の燃料と空気との微小混合を可能にする。特定の実施形態では、ローブフィンガ１４８は、シュラウド外壁１５４（例えば、外側環状壁、外側周囲、外周）および／または軸方向軸７７に対して角度１５２（例えば、鋭角）に向けられる。鋭角１５２は９０度未満の任意の角度であってもよく、例えば、約０〜８５，５〜８０，１０〜７０，２０〜６０，３０〜５０，５〜４５，５〜３０、またはそれらの間の任意の適切な角度である。例えば、角度１５２は、０，５，１０，１５，２０，２５，３０，３５，４０，４５，５０，６０，７５，８０，８５、または８９度以下であってもよい。特定の実施形態では、ローブフィンガ１４８の少なくとも一部分は、シュラウド外壁１５４に対して９０度の角度に向けられてもよい。
【００３６】
ローブフィンガ１４８は、シュラウド外壁１５４に形成されたローブフィンガ開口部１５６（例えば、径方向開口部）と、燃料ノズルアセンブリ２０の下流端部７２のローブパイロット開口部１６０とを含む。ローブフィンガ開口部１５６は、燃料通路１５０によって供給される燃料２２の上流のフィンガ１４８（例えば、通路）に空気２４を供給する。ローブパイロット開口部１６０は、ローブ外壁１６４の一部を形成するローブ２５上に配置される。特定の実施形態では、ローブパイロット開口部１６０は、ローブ外壁１６４上のローブ凹部１７０（例えば、ポケット）内に配置される。ローブ凹部１７０は、約１ｍｍ〜約１０ｍｍの凹部深さ１７１（例えば、軸方向４０の深さ）を有することができる。図１１〜図１３を参照してさらに詳細に後述するように、ローブ凹部１７０は、ローブ２５の少なくとも一部に沿って径方向に（例えば、径方向４２に）延在している。例えば、ローブ凹部１７０の長さは、径方向４２のローブ２５の長さの約１０％、２０％、３０％、４０％、５０％、６０％、７０％、８０％、９０％、またはそれ以上であってもよい。凹部深さ１７１は、ローブ２５の長さに沿って（例えば、径方向軸４２に沿って）一定であっても可変であってもよい。他の実施形態では、ローブ２５はローブ凹部１７０を含まないことに留意されたい。この特定の実施形態では、ローブ２５は鈍い表面を有する（例えば、ローブパイロット開口部１６０に関連する凹部がない）。
【００３７】
第３の混合領域１４６はまた、本体外壁１３０に配置されたローブ燃料開口部１７４（例えば、径方向開口部）を介して燃料２２を受け取る、本体６０内に配置されたローブパイロットプレナムチャンバ１７２（例えば、環状チャンバ）を含む。ローブパイロットプレナムチャンバ１７２は、ローブフィンガ１４８（例えば、微小混合流体通路）にローブフィンガ１４８とローブ燃料通路１５０との間の界面に配置されたローブ燃料通路開口部１７６を介して燃料２２を供給するローブ燃料通路１５０に流体的に結合される。ローブ燃料通路開口部１７６は、ローブフィンガ開口部１５６の下流の距離１７８（例えば、軸方向４０の距離またはフィンガ１４８に沿った距離）にある。ローブ燃料通路開口部１７６は、ローブフィンガ開口部１５６の下流の任意の適切な距離１７８にあり得るが、ローブ燃料通路開口部１７６がローブフィンガ開口部１５６の近傍にあることが望ましい場合がある。このようにして、燃料２２および空気２４は、均質混合物を形成するために予混合（例えば、微小混合）のためにローブフィンガ１４８において適切な滞留時間を有することができる。ローブフィンガ１４８内の燃料と空気の混合物は、ローブパイロット開口部１６０を通って燃料ノズルアセンブリ２０を出て、それにより、燃料ノズルアセンブリ２０の後方側１４２に微小火炎（例えば、小さな二次火炎）を生成する。上述したように、微小火炎は、混合領域９０，１０４内の燃料と空気の混合物から生成された複数の一次火炎を燃料ノズルアセンブリ２０に固定し、それによって複数の一次火炎を安定させる。
【００３８】
図４は、燃料ノズルアセンブリ２０の一部の斜視図であり、ローブ付きシュラウド２６を示している。図示された実施形態では、シュラウド外壁１５４のローブフィンガ開口部１５６、ローブ２５、ローブ２５のローブパイロット開口部１６０、およびローブ通路２７は、軸方向軸７７の周りで周方向４４に間隔を置いて配置され、開口部１５６、ローブ２５、開口部１６０、およびローブ通路２７は、燃料ノズルアセンブリ２０の中心体６２を取り囲んでいる（例えば、一周している）。燃料ノズルアセンブリ２０は、軸方向軸７７の周りで周方向４４に間隔を置いて配置された１，２，３，４，５，６，７，８，９，１０，１５，２０，２５，３０，４０，５０、または１００個以上の開口部１５６、開口部１６０、ローブ２５、およびローブ通路２７を含んでもよい。上述したように、ローブフィンガ１４８（例えば、微小混合通路）は、ローブ２５のローブパイロット開口部１６０をローブフィンガ開口部１５６と流体結合して、その間に延在し、燃料通路１５０からの燃料との予混合（例えば、微小混合）のためにローブフィンガ１４８に空気流を供給する。特定の実施形態では、ローブフィンガ開口部１５６は、それぞれのローブパイロット開口部１６０と周方向４４に位置合わせされ、その結果、ローブフィンガ１４８（例えば、通路）が径方向軸４２に沿って概ね向けられ、軸方向軸７７と交差する。いくつかの実施形態では、ローブフィンガ開口部１５６は、それぞれのローブパイロット開口部１６０から周方向４４にオフセットされ、その結果、ローブフィンガ１４８（例えば、通路）が軸方向軸７７からオフセットした位置で概ね傾斜して、軸方向軸７７の周りに旋回流を誘発する。
【００３９】
ローブ付きシュラウド２６はまた、ローブ付きシュラウド２６を本体６０に結合して固定するのを容易にする１つまたは複数の結合機構を含む。例えば、ローブ付きシュラウド２６は、本体６０上の相補的な結合機構（例えば、フランジ、開口部）と整列する１つまたは複数のフランジ１８２を含んでもよい。２つ以上のフランジ１８２を有する実施形態では、フランジ１８２は、ローブ付きシュラウド２６の底端部１８４の外周に沿って周方向に間隔を置いて配置されてもよい。フランジ１８２は、例えば、ねじ、ボルト、スナップ、または他の適切な締結具を介して、本体６０上の相補的な結合機構に固定されてもよい。特定の実施形態では、ローブ付きシュラウド２６は、本体６０の上端面と接する底端部１８４の表面に突出部および／または凹部を含んでもよい。突出部および／または凹部は、ローブ付きシュラウド２６および本体６０を取り外し可能に固定するために、本体の上端面の相補的な突出部／凹部に（例えば、締まり嵌めまたは他の結合構造を介して）結合されてもよい。ローブ付きシュラウド２６と本体６０とを取り外し可能に結合することによって、システム１０を分解することなくローブ付きシュラウド２６を取り外すことができる。したがって、ローブ付きシュラウド２６を、システムメンテナンス（例えば、清掃）中またはシステム構成要素（例えば、ローブ付きシュラウド２６または本体６０）の交換中に容易に取り外すことができる。したがって、システム１０に関連する設備およびメンテナンス費用を低減することができる。
【００４０】
図５は、燃料ノズルアセンブリ２０の下流端部７２の上面図の一実施形態であり、中心体６２の周りに周方向４４に間隔をおいて配置されたローブ２５およびローブ通路２７の環状配置を有するローブ付きシュラウド２６を示している。図示されているように、ローブ付きシュラウド２６は、２０個超のローブ２５およびローブ通路２７を含む。特定の実施形態では、ローブ付きシュラウド２６は、２，３，４，５，６，７，８，９，１０，１５，２０，２５，３０，３５，４０，４５、または５０個以上のローブ２５およびローブ通路２７を含むことができる。例えば、ローブ付きシュラウド２６は、５〜１００個、１０〜７５個、１５〜５０個、または２０〜４０個のローブ２５およびローブ通路２７を含むことができる。ローブ２５およびローブ通路２７は、中心体６２の周りに均一にまたは不均一に周方向４４に間隔を置いて配置され、サイズが決められ、および／または成形されてもよい。ただし、ローブ付きシュラウド２６は、ローブ２５およびローブ通路２７の任意の適切な数、サイズ、間隔、および／または形状を有して、燃料と空気の混合物を分割して所望の数および形状の一次火炎を生成することを容易にすることができる。
【００４１】
図示された実施形態では、ローブ２５は、中心体壁１１０とシュラウド壁１１３の径方向最内面１１９との間にローブギャップ１１８を維持しながら、中心体６２に向かって径方向４２に延在している。例えば、下流端部７２において、ローブギャップ１１８は、ローブ２５のローブ先端１９２と中心体壁１１０との間に径方向ギャップ１９０を含んでもよい。径方向ギャップ１９０は、中心体壁１１０とローブ付きシュラウド２６のシュラウド壁１１３の径方向最内面１１９との間の、特に下流端部７２におけるローブギャップ１１８の径方向寸法１１７である。下流端部７２において、径方向ギャップ１９０は、約０．０１〜５０ｍｍ、０．０２〜２５ｍｍ、０．０３〜１０ｍｍ、０．０４〜５ｍｍ、０．０５〜２ｍｍ、または０．１〜１．５ｍｍであってもよい。例えば、径方向ギャップ１９０は、約０．１，０．２，０．３，０．４，０．５，０．６，０．７，０．８，０．９，１，１．１，１．２，１．３，１．４，１．５、または２ｍｍ以下であってもよい。他の実施形態では、ローブ２５は、中心体６２からシュラウド外壁１５４に向かって径方向に離れて延在し、図６に示すように、ローブ先端１９２とシュラウド外壁１５４との間に径方向ギャップ１９０を形成する。
【００４２】
ローブ２５は、軸方向４０、径方向４２、および／または周方向４４における一定または可変の寸法（例えば、軸方向ローブ寸法１２３、径方向ローブ寸法１１６、幅１９６、および／または断面積１９７）を有してもよい。さらに、ローブ通路２７は、軸方向４０、径方向４２、および／または周方向４４における一定または可変の寸法（例えば、軸方向通路寸法１２１、径方向通路寸法１１４、幅１９８、および／または断面積１９９）を有してもよい。例えば、ローブ２５の径方向ローブ寸法１１６、幅１９６、および／または断面積１９７は、１つまたは複数のローブ２５の軸方向ローブ寸法１２３の少なくとも５０％、６０％、７０％、８０％、９０％、または１００％に沿って軸方向４０において一定であってもよい。同様に、ローブ通路２７の径方向通路寸法１１４、幅１９８、および／または断面積１９９は、１つまたは複数のローブ通路２７の軸方向通路寸法１２１の少なくとも５０％、６０％、７０％、８０％、９０％、または１００％に沿って軸方向４０において一定であってもよい。さらなる例として、ローブ２５の径方向ローブ寸法１１６、幅１９６、および／または断面積１９７は、１つまたは複数のローブ２５の軸方向ローブ寸法１２３の少なくとも５０％、６０％、７０％、８０％、９０％、または１００％に沿って軸方向４０において徐々に増加および／または徐々に減少してもよい。同様に、ローブ通路２７の径方向通路寸法１１４、幅１９８、および／または断面積１９９は、１つまたは複数のローブ通路２７の軸方向通路寸法１２１の少なくとも５０％、６０％、７０％、８０％、９０％、または１００％に沿って軸方向４０において徐々に増加および／または徐々に減少してもよい。さらに別の例では、ローブ２５の軸方向ローブ寸法１２３、径方向ローブ寸法１１６、幅１９６、および／または断面積１９７は、複数のローブ２５の全部または一部の間で軸方向軸７７の周りに周方向４４において、一定であってもよく、増加してもよく、減少してもよく、および／または交互に増減してもよい。同様に、ローブ通路２７の軸方向通路寸法１２１、径方向通路寸法１１４、幅１９８、および／または断面積１９９は、複数のローブ通路２７の全部または一部の間で軸方向軸７７の周りに周方向４４において、一定であってもよく、増加してもよく、減少してもよく、および／または交互に増減してもよい。
【００４３】
例えば、一実施形態では、第１のローブ寸法または幅１９６（例えば、周方向４４の寸法または幅）は、ローブ２５が径方向４２に先細りになる構成を有する（例えば、軸７７に向かって内側に収束するまたは先細りになる）ように、シュラウド外壁１５４からローブ先端１９２および中心体６２に向かって（例えば、軸方向軸７７に向かって）径方向４２に減少してもよい。第１のローブ寸法１９６を、ローブ通路２７の出口水力直径が約５ｍｍ未満となるように決定することができる。一般に、スロット幅（水力直径）が小さいほど、所与の速度に対する主フレームの長さは短くなる。特定の実施形態では、第１のローブ寸法１９６の少なくとも一部は、ローブ通路２７の通路寸法または幅１９８（例えば、周方向４４の寸法または幅）の少なくとも１．５，２，２．５，３，４、または５倍であってもよい。また、ローブ２５の第１のローブ寸法１９６（例えば、周方向４４の寸法または幅）は、軸方向ローブ寸法１２３に沿って軸方向４０において変化してもよい。例えば、ローブ２５の幅１９６は、上流端部１３４に向かって上流側軸方向４０に減少してもよく、一方で、ローブ通路２７の幅１９８は、上流端部１３４に向かって上流側軸方向４０に、増加してもよく、減少してもよく、一定のままであってもよい。他の実施形態では、ローブ２５の幅１９６は、上流端部１３４に向かって上流側軸方向４０に増加してもよく、一定のままであってもよく、一方で、ローブ通路２７の幅１９８は、上流端部１３４に向かって上流側軸方向４０に、増加してもよく、減少してもよく、一定のままであってもよい。特定の実施形態では、ローブ２５の幅１９６が増加する一方で、ローブ通路２７の幅１９８は、上流端部１３４に向かう上流側軸方向４０に反比例の関係で減少してもよく、あるいは、ローブ２５の幅１９６が減少する一方で、ローブ通路２７の幅１９８は、上流端部１３４に向かう上流側軸方向４０に反比例の関係で増加してもよい。
【００４４】
幅１９６および１９８に加えて、ローブ２５の径方向ローブ寸法１１６および／またはローブ通路２７の径方向通路寸法１１４は、軸方向４０において一定であっても可変であってもよい。例えば、特定の実施形態では、ローブ２５の径方向ローブ寸法１１６は、上流端部１３４に向かって減少してもよく、その結果、径方向ローブ寸法１１６は上流端部１３２と比較して下流端部７２でより長くなる。同様に、ローブ通路２７の径方向通路寸法１１４は、上流端部１３４に向かって減少してもよく、その結果、径方向通路寸法１１４は、上流端部１３２と比較して下流端部７２でより長くなる。
【００４５】
例えば、図８〜図１０は、ローブ付きシュラウド２６の詳細な断面側面図である図７の線８−８、線９−９、および線１０−１０で切り取られたローブ付きシュラウド２６の一部の上面断面図を示している。図８に示すように、ローブ付きシュラウド２６の上流端部１３４におけるローブ２５の径方向ローブ寸法１１６（例えば、径方向軸４０に沿った径方向長さ）は、ローブ付きシュラウド２６の中間位置（例えば、図９）および下流端部７２付近（例えば、図１０）で径方向ローブ寸法１１６よりも短い。すなわち、ローブ２５の径方向ローブ寸法１１６は、ローブ付きシュラウド２６の上流端部１３４から下流端部７２に向かって軸方向４０に増加する。同様に、図８に示すように、ローブ付きシュラウド２６の上流端部１３４におけるローブ通路２７の径方向通路寸法１１４（例えば、径方向軸４０に沿った径方向長さ）は、ローブ付きシュラウド２６の中間位置（例えば、図９）および下流端部７２付近（例えば、図１０）で径方向通路寸法１１４よりも短い。すなわち、ローブ通路２７の径方向通路寸法１１４は、ローブ付きシュラウド２６の上流端部１３４から下流端部７２に向かって軸方向４０に増加する。さらに、図８、図９、および図１０に示すように、ローブ２５のシュラウド壁１１３の径方向最内面１１９（例えば、径方向先端１９２）と中心体壁１１０との間のローブギャップ１１８は、下流端部７２に向かう下流側軸方向４０の径方向ローブ寸法１１６に反比例して減少する。すなわち、ローブ２５の径方向ローブ寸法１１６が下流端部７２に向かって下流側軸方向４０において増加するにつれて、ローブギャップ１１８は、同じ下流側軸方向４０において減少する。
【００４６】
このようにして、ローブ２５の寸法（例えば、ローブ寸法１１６、１１７、および１９６）およびローブ通路２７の寸法（例えば、ローブ通路寸法１１４および１９８）を使用して、ローブ通路２７内の燃料と空気の混合物の滞留時間を制御することができる。さらに、ローブ通路２７の水力直径は、ローブ２５の数および／または寸法（例えばローブ寸法１１６、１１７、および１９６ならびに／またはローブ通路寸法１１４および１９８）に基づいて調整されてもよく、その結果、ローブ付きシュラウド２６を出る燃料と空気の混合物の圧力は、ローブ付きシュラウド２６のようなローブ付きシュラウドを含まない燃料ノズルアセンブリを出る燃料と空気の混合物の圧力と同等になる。
【００４７】
上述したように、ローブ付きシュラウド２６は、一次火炎をローブ２５に固定する二次的な微小火炎を生成することによって、一次火炎（例えば、中心パイロット７０およびローブ通路２７内の燃料と空気の混合物から生成された火炎）を安定させる。二次的なの微小火炎は、第３の混合領域１４６のローブ付きシュラウド２６内で生成された燃料と空気の混合物から生成される。燃料と空気の混合物は、ローブパイロット開口部１６０を通って第３の混合領域１４６を出る。ローブパイロット開口部１６０およびそれぞれのローブ凹部１７０は、複数の一次火炎の固定および安定化を可能にするために二次的な微小火炎を生成することを容易にする任意の適切な形状を有してもよい。
【００４８】
図１１〜図１３は、各ローブ２５に関連するローブパイロット開口部１６０およびローブ凹部１７０の様々な非限定的な例を示している。図１１に示すように、ローブパイロット開口部１６０は、円形形状２１０（例えば、円形オリフィス、一定半径、または一定直径）を有する。対照的に、図１２および図１３に示すように、ローブパイロット開口部１６０は、非円形形状２１１を有する。例えば、ローブパイロット開口部１６０は、第２のローブパイロット寸法２１４（例えば、幅、直径、または半径）より小さい第１のローブパイロット寸法２１２（例えば、幅、直径、または半径）を有する。特定の実施形態では、ローブパイロット開口部１６０は、図１２に示すように、ローブパイロット開口部１６０が波状の外周を有するように、第１の寸法２１２および第２の寸法２１４を交互に有する。例えば、図１３のローブパイロット開口部１６０は、複数の球状形状の開口部、ピーナッツ形状の開口部、または交互に増減する幅を有する開口部として説明されてもよい。他の実施形態では、図１３に示すように、第１の寸法２１２は、第２の寸法２１４まで徐々に増加し、ローブパイロット開口部１６０は、先細りの周囲（例えば、三角形、くさび形、収束する、または広がる開口部）を有する。
【００４９】
特定の実施形態では、ローブ凹部１７０は、ローブパイロット開口部１６０および／またはローブ２５と同様の形状を有してもよい。例えば、図１１〜図１３に示すように、ローブ凹部１７０は、径方向４２に減少するローブ幅１９６と共に減少する凹部寸法２１８（例えば、周方向４４の凹部幅）と、径方向ローブ寸法１１６の少なくとも一部まで延在している径方向寸法２２０（例えば、径方向４２の凹部長さ）とを有する。ローブ凹部１７０は、ローブパイロット開口部１６０と同様に、円形形状、波形形状、楕円形状、くさび形状、テーパ形状、または任意の他の望ましい形状を有してもよい。ローブパイロット開口部１６０は、径方向ローブ寸法１１６の任意の部分に沿って配置されてもよいことに留意されたい。例えば、凹部１７０の幅２１８は、（例えば、ローブ２５に沿った任意の特定の径方向位置で）ローブ２５の幅１９６の１０〜９０％、２０〜８０％、３０〜７０％、４０〜６０％、または１０〜５０％であってもよい。さらなる例として、凹部１７０の長さ２２０は、ローブ２５の径方向ローブ寸法１１６の１０〜９０％、２０〜８０％、３０〜７０％、４０〜６０％、または１０〜５０％であってもよい。さらなる例として、凹部１７０の断面積２１６は、ローブ２５の断面積１９７の１０〜９０％、２０〜８０％、３０〜７０％、４０〜６０％、または１０〜５０％であってもよい。
【００５０】
上述したように、燃料ノズルアセンブリ２０の特定の実施形態は、燃焼器１４の反応ゾーン（例えば、燃焼領域）における火炎安定化を促進し得る複数の燃料噴射ポートおよび混合領域を含む。燃料ノズルアセンブリ２０は、複数のローブ２５と、第２の混合領域１０６内の燃料と空気の混合物の流路を分割する複数のローブ通路２７とを有するローブ付きシュラウド２６を含む。ローブ２５および中心体壁１１０はローブ通路２７を画定し、このローブ通路２７は、ローブ通路２７の上流にありかつローブ通路２７に流体的に結合された混合チャンバ１０４の水力直径と比較して小さい水力直径を有する。混合チャンバ１０４とローブ通路２７との間の水力直径の変化は、燃料２２と空気２４との混合を加速して均質な燃料と空気の混合物を生成し、それによって均質な燃料と空気の混合物を生成し、燃焼器１４の反応ゾーンの一次火炎を安定化する。ローブ付きシュラウド２６はまた、燃料２２および空気２４の追加部分を予混合して一次火炎を燃料ノズルアセンブリ２０に固定する二次的な微小火炎を生成するローブフィンガ１４８（例えば、微小混合燃料空気通路）を含み、それによって、一次火炎のさらなる安定化を提供する。このようにして、高い火炎温度（例えば、１５００℃を超える温度）および／または小さい反応ゾーンを有する小型燃焼器の場合に、燃料と空気の混合物の燃焼から生成される排出物を減少させることができる。さらに、ローブ付きシュラウド２６の取り外し可能な構成は、システム１０の完全な分解なしに、燃料ノズルアセンブリの構成要素のメンテナンスおよび交換を容易にする。
【００５１】
本明細書は、最良の形態を含んだ本発明の開示のために、また、任意のデバイスまたはシステムの製作および使用、ならびに任意の組み込まれた方法の実行を含んだ本発明の実施がいかなる当業者にも可能になるように、例を用いている。本発明の特許され得る範囲は、特許請求の範囲によって定義され、当業者が想到する他の例を含むことができる。このような他の例が特許請求の範囲の文字通りの言葉と異ならない構造要素を有する場合、または、それらが特許請求の範囲の文字通りの言葉と実質的な差異のない等価な構造要素を含む場合には、このような他の例は特許請求の範囲内であることを意図している。
【符号の説明】
【００５２】
１０  タービンシステム
１２  圧縮機
１４  タービン燃焼器
１６  タービン
２０  燃料ノズルアセンブリ
２２  燃料
２４  加圧酸化剤，加圧空気，空気
２５  ローブ
２６  ローブ付きシュラウド
２７  ローブ通路
２８  シャフト
３０  空気取り入れ口
３２  空気
３４  燃焼ガス
３６  排気口
３８  負荷
４０  軸方向
４１  回転軸
４２  径方向
４４  周方向
４６  領域
４６  環状領域
４８  第１の燃焼器境界
５０  第２の燃焼器境界
５２  ノズルステム
５３  距離
５４  外部燃料ノズルアセンブリ
５６  内部燃料ノズルアセンブリ
６０  本体
６２  中心体
６９  導管
７０  中心パイロット
７１  第１の中心パイロット開口部
７２  下流端部
７３  軸方向通路
７４  第２の中心パイロット開口部
７６  燃料噴射器
７７  軸方向軸
７８  第１の中心パイロット通路
８０  第２の中心パイロット通路
８４  第１のパイロット開口部
８６  第２のパイロット開口部
９０  混合領域
９１  旋回ベーン
９２  先端冷却通路
９３  導管
９４  冷却流体
９５  導管
９６  軸方向インピンジメント開口部
９７  有孔冷却板
９８  内面
１００  径方向開口部
１０２  燃料通路
１０３  燃料ポート
１０４  混合チャンバ
１０５  径方向寸法
１０６  第２の混合領域
１０７  スロート
１０８  本体壁
１１０  中心体壁
１１３  第１のローブ付きシュラウド壁
１１３  シュラウド壁
１１４  径方向寸法
１１５  径方向最外面
１１６  径方向寸法
１１７  径方向寸法
１１８  ローブギャップ
１１９  径方向最内面
１２０  本体プレナムチャンバ
１２１  軸方向寸法
１２３  軸方向寸法
１２４  本体ベーン
１２５  前縁
１２６  主ベーン開口部
１２７  後縁
１２８  本体開口部
１３０  本体外壁
１３２  上流端部
１３４  上流端部
１４２  後方側
１４６  混合領域
１４８  ローブフィンガ
１５０  ローブ燃料通路
１５２  角度
１５４  シュラウド外壁
１５６  ローブフィンガ開口部
１６０  ローブパイロット開口部
１６４  ローブ外壁
１７０  ローブ凹部
１７２  ローブパイロットプレナムチャンバ
１７４  ローブ燃料開口部
１７６  ローブ燃料通路開口部
１７８  距離
１８２  フランジ
１８４  底端部
１９０  径方向ギャップ
１９２  ローブ先端
１９６  ローブ寸法
１９７  断面積
１９９  断面積
２１０  円形形状
２１１  非円形形状
２１２  第１のローブパイロット寸法
２１４  第２のローブパイロット寸法
２１６  断面積
２１８  凹部寸法
２２０  径方向寸法
【図１】
2018525594.tif 000003
【図２】
2018525594.tif 000004
【図３】
2018525594.tif 000005
【図４】
2018525594.tif 000006
【図５】
2018525594.tif 000007
【図６】
2018525594.tif 000008
【図７】
2018525594.tif 000009
【図８】
2018525594.tif 000010
【図９】
2018525594.tif 000011
【図１０】
2018525594.tif 000012
【図１１】
2018525594.tif 000013
【図１２】
2018525594.tif 000014
【図１３】
2018525594.tif 000015
【国際調査報告】
2018525594.tif 000016
2018525594.tif 000017